(57)【特許請求の範囲】
【請求項１】
開閉可能な前面扉と機械本体との間に、機械本体への前面扉の閉成動作により施錠動作する扉錠機構が設けられた扉付き遊戯機において、
解錠信号の入力により作動して前記扉錠機構を解錠する電気駆動の第１の解錠機構と、  鍵操作により作動して前記扉錠機構を解錠する機械駆動の第２の解錠機構と、第２の解錠機構に作用する制御機構とを備え、
前記制御機構は、通電により第２の解錠機構の作動を規制する状態に設定し、通電停止により第２の解錠機構の作動を規制する状態から作動規制を解除する状態へ移行させるようにした扉付き遊戯機。
【請求項２】
請求項１に記載された扉付き遊戯機であって、前記前面扉の開閉を検知する開閉検知機構をさらに備え、前記制御機構は、解錠信号の入力に応答して第２の解錠機構の作動規制を解除し、前記開閉検知機構が前面扉の開放を検知した後、前面扉の閉成を検知したとき、第２の解錠機構の作動を規制する状態に復帰させる扉付き遊戯機。
【請求項３】
請求項１に記載された扉付き遊戯機であって、前記前面扉の開閉を検知する開閉検知機構と、前記前面扉を開放方向へ付勢し前記扉錠機構が解錠動作したとき前面扉を押し開く扉付勢機構とをさらに備え、前記制御機構は、解錠信号の入力に応答して前記開閉検知機構が前面扉の閉成を検知したことを条件に第２の解錠機構の作動規制を解除し、前記開閉検知機構が前面扉の開放を検知した後、前面扉の閉成を検知したとき、第２の解錠機構の作動を規制する状態に復帰させる扉付き遊戯機。
【発明の詳細な説明】
【０００１】
【産業上の利用分野】
この発明は、スロットマシンやパチンコ遊戯機のように、開閉可能な前面扉と機械本体との間に、機械本体への前面扉の閉成動作により施錠動作する扉錠機構が設けられた扉付き遊戯機に関する。
【０００２】
【従来の技術】
一般にスロットマシンやパチンコ遊戯機は、ボックス形状の機械本体の前面開口部に前面扉が開閉可能に取り付けられた構造のものである。例えばスロットマシンでは、前記機械本体の内部に、３個のリール，メダル払出装置，制御基板などが組み込まれ、一方、前面扉には、各リールを窓越しに透視するためのリール表示窓の他、ゲームの実行に必要な各種のスイッチ，メダルを投入するためのメダル投入口，払い出されるメダルを収容するためのメダル受け皿などが設けてある。
【０００３】
前記前面扉と機械本体との間には、機械本体への前面扉の閉成動作により施錠動作する扉錠機構が設けられている。この扉錠機構は、前面扉に設けられた鍵孔へ鍵を挿入して回動操作することにより解錠される。稼働中は前記メダル払出装置へのメダルの補給時などに、また稼働停止後は機械内部の点検または修理時などに、前面扉を開く必要がある。
【０００４】
特に稼働中は遊戯者が間近にいるため、鍵操作がやりずらいという問題があり、これを解消するため、近年、遠隔操作で扉錠機構を作動させて解錠するようにした解錠システムが提案された。この解錠システムでは、扉錠機構にソレノイドのような電気駆動の解錠機構を連繋し、遠隔操作用の携帯端末機（以下「リモコンキー」という）より解錠指令信号を受信したとき、前記解錠機構が通電して扉錠機構を解錠する。
【０００５】
【発明が解決しようとする課題】
しかしながらこの解錠システムでは、電気系統の故障や停電が発生したとき、前記解錠機構を作動し得ないため、扉錠機構を解錠できず、前面扉を開くことが不可能となる。
そこで電気駆動の解錠機構とは別に、鍵操作で前記扉錠機構を解錠できる機械駆動の解錠機構を設けることもできるが、この方式では、鍵の盗難や紛失が発生したとき、その鍵を取得した者によって稼働中に前面扉が開放されて不正行為が行われるおそれがある。
【０００６】
この発明は、上記問題に着目してなされたもので、電気駆動の解錠機構が作動可能なときは機械駆動の解錠機構の作動を規制し、電気駆動の解錠機構が作動不能となったときは機械駆動の解錠機構の作動規制を解除することにより、電気系統の故障や停電が発生しても、前面扉を開放でき、しかも鍵が不正使用されても解錠されるおそれがない安全な扉付き遊戯機を提供することを目的とする。
【０００７】
【課題を解決するための手段】
請求項１の発明は、開閉可能な前面扉と機械本体との間に、機械本体への前面扉の閉成動作により施錠動作する扉錠機構が設けられた扉付き遊戯機において、解錠信号の入力により通電して前記扉錠機構を解錠する第１の解錠機構と、鍵操作により作動して前記扉錠機構を解錠する第２の解錠機構と、第２の解錠機構に作用する制御機構とを備え、前記制御機構は、通電により第２の解錠機構の作動を規制する状態に設定し、通電停止により第２の解錠機構の作動を規制する状態から作動規制を解除する状態へ移行させるようにしたものである。
【０００８】
請求項２の発明は、請求項１に記載された扉付き遊戯機であって、前記前面扉の開閉を検知する開閉検知機構をさらに備え、前記制御機構は、解錠信号の入力に応答して第２の解錠機構の作動規制を解除し、前記開閉検知機構が前面扉の開放を検知した後、前面扉の閉成を検知したとき、第２の解錠機構の作動を規制する状態に復帰させるものである。
【０００９】
請求項３の発明は、請求項１に記載された扉付き遊戯機であって、前記前面扉の開閉を検知する開閉検知機構と、前記前面扉を開放方向へ付勢し前記扉錠機構が解錠動作したとき前面扉を押し開く扉付勢機構とをさらに備え、前記制御機構は、解錠信号の入力に応答して前記開閉検知機構が前面扉の閉成を検知したことを条件に第２の解錠機構の作動規制を解除し、前記開閉検知機構が前面扉の開放を検知した後、前面扉の閉成を検知したとき、第２の解錠機構の作動を規制する状態に復帰させるものである。
【００１０】
【作用】
稼働中の通電時は制御機構により第２の解錠機構の作動が規制されているので、外部からの鍵操作によっては扉錠機構を解錠できない。電気系統の故障や停電が発生すると、通電停止により制御機構が第２の解錠機構の作動規制を解除するので、外部からの鍵操作により扉錠機構を解錠できる。
【００１１】
請求項２または３の扉付き遊戯機では、制御機構は解錠信号の入力に応答して第２の解錠機構の作動規制を解除するので、たとえ第１の解錠機構が故障して作動しなくても、外部からの鍵操作により扉錠機構を解錠できる。
【００１２】
【実施例】
図１は、この発明の一実施例であるスロットマシンの概略構成を示すもので、ボックス形状の機械本体１と、この機械本体１の前面開口部１ａに開閉可能に設けられる前面扉２とから成る。
前記前面扉２は、一方の側端縁が機械本体１の開口側縁に蝶番などにより枢着され、他方の側端縁が開放端となる。前記機械本体１の内部には、図示していないが、３個のリール，メダル払出装置，制御基板などが組み込まれ、一方、前面扉２には、リール表示窓３の他、ゲームの実行に必要な各種のスイッチ，メダル投入口，メダル受け皿４などが設けられる。
【００１３】
前記前面扉２と機械本体１との間であって前面扉２の前記開放端の側には、機械本体１への前面扉２の閉成動作により施錠動作する扉錠機構５が設けられている。この扉錠機構５は、前面扉２の側に設けられる可動機構部５Ａと、機械本体１の側に設けられる固定機構部５Ｂとから成り、可動機構部５Ａの上下位置にはフック６，７が、固定機構部５Ｂの対応位置には前記の各フック６，７が係脱する受け金具８，９が、それぞれ設けられる。各フック６，７は前面扉２の閉成動作により受け金具８，９と係合して施錠状態となり、後記する第１，第２の解錠機構１０，１１を作動させることにより受け金具８，９との係合が外れて解錠状態となる。
なお図中、１４はリモキンキー１５より発せられる解錠指令信号を受信する受信部であって、この受信部１４による受信に応答して内部の電気制御回路（図示せず）が解錠信号を生成する。
【００１４】
図２は、この発明の主要構成である扉錠機構５と第１，第２の各解錠機構１０，１１と制御機構１２とを示す。
前記扉錠機構５の可動機構部５Ａは、前面扉２の開放端縁に沿って固定板２０を取り付け、この固定板２０の上端部および下端部に各フック６，７の基端を枢支し、各フック６，７の長さ中央部に駆動板２１の上端および下端を連結して成るもので、前記駆動板２１の上下方向への往復動により各フック６，７が揺動して先端の鉤状部２２，２３が固定機構部５Ｂの受け金具８，９に係脱する。前記駆動板２１と固定板２０との間には引張ばね２４が設けてあり、この引張ばね２４のばね力により駆動板２１は上方へ付勢される。
【００１５】
第１の解錠機構１０は、前記解錠信号の入力により通電して前記駆動板２１を下方へ押し下げて扉錠機構５を解錠するためのもので、この実施例では、電磁ソレノイド２５を固定板２０にて支持し、この電磁ソレノイド２５のロッド２６の先端を駆動板２１に設けられた第１の突片２７に連結して成る。この電磁ソレノイド２５は、通電しない状態のとき、ロッド２６が図示しないばねのばね力により突出し、通電した状態のとき、ロッド２６を引き込んで駆動板２１を押し下げる。
【００１６】
第２の解錠機構１１は、鍵操作により作動して前記扉錠機構１０を解錠するためのもので、前面扉２の上部位置に設けられたシリンダ錠２８と、このシリンダ錠２８の回動部に連結されたカム板２９とから成る。前面扉２の前面に臨ませた前記シリンダ錠２８の鍵孔３０へ鍵１３を挿入して回動すると、前記カム板２９を前記回動部と一体に回動させることが可能である。
カム板２９は、前記駆動板２１に形成された第２の突片３１に当接する押圧部３２を有し、カム板２９の回動により前記押圧部３２が第２の突片３１を押し下げて駆動板２１を作動させる。
【００１７】
前記カム板２９には、前記押圧部３１とのほぼ対角位置に電磁ソレノイド３４とともに前記制御機構１２を構成する係合部３３が設けてある。
前記制御機構１２は、通電時には鍵操作による前記カム板２９の回動を規制し、通電停止時には前記カム板２９の回動規制を解除する。この実施例では、電磁ソレノイド３４のロッド３５を出没動作させることにより、ロッド３５の先端部を前記カム板２９の係合部３３に係脱させ、これによりカム板２９の回動を規制したり、回動規制を解除したりする。この電磁ソレノイド３４は、通電状態でばね３６のばね力に抗してロッド３５が突出動作し、一方、通電停止状態でばね力によりロッド３５が退避動作する。
【００１８】
前記前面板２と機械本体１との間には、前面扉２の開閉を検知する開閉検知機構３９が設けてある。
この開閉検知機構３９は、前面扉２の側の固定板２０に突設されたシャッタ３７と、機械本体１の前面開口部１ａの近傍に配備された光電センサ３８とから成り、前面扉２が閉じると、前記シャッタ３７が光電センサ３８の光路を遮り、一方、前面扉２が開くと、シャッタ３７が光電センサ３８の光路を開放する。
【００１９】
また機械本体１の前面開口部１ａの近傍には、前面扉２を開放方向へ付勢する扉付勢機構４０が設けてある。この扉付勢機構４０は、圧縮ばね４２と加圧棒４１とから成り、加圧棒４１が前面扉２に設けられた押圧板４３に突き当たって押し込まれると、圧縮ばね４２が圧縮されてそのばね力が前面扉２に作用する。この扉付勢機構４０は、前記駆動板２１が押し下げられてフック６，７と受け金具８，９との係合が外れたとき、前記ばね力により前面扉２を押し開くことにより、たとえ引張ばね２４により駆動板２１が復帰動作しても、フック６，７が受け金具８，９に再係合することがないようにするもので、これにより第１の解錠機構１０については電磁ソレノイド２５への通電時間を、また第２の解錠機構１１については鍵操作時間を、それぞれ短縮できる。
【００２０】
図３〜図７は、スロットマシンにおける上記各機構の具体例を示す。
図３は扉錠機構５の可動機構部５Ａと固定機構部５Ｂとを一側方より見た図である。図４は可動機構部５Ａを正面より見た図である。図５は可動機構部５Ａを他側方より見た図である。図６および図７は可動機構部５Ａにおける第２の解錠機構１１および制御機構１２を示し、図６は上方より見た図であり、図７は側方より見た図である。
【００２１】
これら各図において、前面扉２の側に設けられる扉錠機構５の固定機構部５Ａは、上記した固定板２０，駆動板２１，上下の各フック６，７，引張ばね２４などを有し、前記駆動板２１には、第１の解錠機構１０を構成する電磁ソレノイド２５のロッド２６が連結される第１の突片２７と、第２の解錠機構１１を構成するカム板２９の押圧部３２により押圧される第２の突片３１が一体形成されるとともに、基端部が固定板２０に枢支されたシャッタ３７が揺動可能に支持されている。なおこの具体例では、第２の突片３１は、図７に示すように、駆動板２１に形成されたコ字形の屈曲部５０に突設され、またカム板２９の押圧部３２は、図６に示すように、カム板２９を屈曲して形成される。
【００２２】
制御機構１２を構成する電磁ソレノイド３４は、図６および図７に示すように、ロッド３６の先端に係合板５１が取り付けてあり、ロッド３６の出没動作によりカム板２９の係合部３３に係脱する。この具体例では、電磁ソレノイド３４は、通電停止状態でばね３６のばね力によりロッド３５が突出動作して係合板５１とカム板２９の係合部３３との係合が外れ、一方、通電状態でばね３６のばね力に抗してロッド３５が退避動作して係合板５１とカム板２９の係合部３３とが係合する。図６は、係合板５１とカム板２９の係合部３３との係合が外れた状態を示している。
なお図３〜図５において、５２は前面扉２における固定板２０の下端に設けられたガイドローラであり、前面扉２の開閉時に機械本体１の底面を転動する。
図２の構成各部に対応するその他の構成については、図２の構成各部と同一の符号を付することで説明を省略する。
【００２３】
つぎに図８に示すタイムチャートに基づいて図２に示す構成各部の動作を説明する。
稼働中は、前面扉２は閉じられ、上下の各フック６，７は機械本体１の側の受け金具８，９に係合して施錠状態にある。この稼働中の通電時は、制御機構１２の電磁ソレノイド３４を駆動する駆動信号（図８（３）に示す）はオン状態であり、この電磁ソレノイド３４の通電によりロッド３５が突出動作し、ロッド３５の先端とカム板２９の係合部３３とが係合している。この状態で第２の解錠機構１１のシリンダ錠２８に鍵１３を挿入しても、回動操作が不可能であり、従ってカム板２９は回動せず、扉錠機構５は作動しない。
【００２４】
つぎにリモコンキー１５からの解錠指令信号（図８（１）に示す）が受信部１４で受信されると、図示しない電気制御回路は、第１の解錠機構１０へ解錠信号（図８（２）に示す）を与えて電磁ソレノイド２５に通電する。これによりロッド２６が退避動作して駆動板２１が押し下げられ、上下のフック６，７と受け金具８，９との係合が外れて解錠状態となる。解錠状態になると、前面板２は扉付勢機構４０により押し開かれ、これにより開閉検知機構３９における光電センサ３８の光路がシャッタ３７より開放されてその出力（図８（４）に示す）はオンとなる。
一方、前記解錠指令信号を受けて、前記電気制御回路は、制御機構１２における電磁ソレノイド３４の駆動信号をオフ状態に設定し、第２の解錠機構１１の作動規制を解除する。
【００２５】
つぎに前面扉２が閉じられると、上下の各フック６，７は機械本体１の側の受け金具８，９に係合して施錠状態となり、前記光電センサ３８はシャッタ３７により光路が遮断されて出力がオフとなる。電気制御回路はこの光電センサ３８のオフ出力を受けて制御機構１２における電磁ソレノイド３４の駆動信号をオン状態に復帰させ、第２の解錠機構１１の作動を規制する。
【００２６】
つぎに電気系統の故障や停電が発生したとき、第１の解錠機構１０の電磁ソレノイド２５は作動しないため、リモコンキー１５による解錠は不可能となるが、この通電停止により制御機構１２の電磁ソレノイド３４を駆動する駆動信号はオフ状態になるから、第２の解錠機構１１の作動規制が解除され、シリンダ錠２８に鍵１３を挿入して回動操作することが可能となる。この鍵操作によりカム板２９が回動して駆動板２１が押し下げられ、上下のフック６，７と受け金具８，９との係合が外れて解錠状態になる。
【００２７】
つぎにもし電磁ソレノイド１０の故障などにより第１の解錠機構１０が作動しないときは、駆動板２１が作動せず、上下のフック６，７と受け金具８，９とが係合して施錠状態のままであるが、制御機構１２の電磁ソレノイド３４を駆動する駆動信号は、図８（５）に示すように、オフ状態であって第２の解錠機構１１の作動規制が解除されているので、シリンダ錠２８に鍵１３を挿入して回動操作することが可能である。この鍵操作によりカム板２９が回動して駆動板２１が押し下げられ、上下のフック６，７と受け金具８，９との係合が外れて解錠状態になる。解錠状態になると、前面板２は扉付勢機構４０により押し開かれ、光電センサ３８の光路が開放されてその出力（図８（６）に示す）はオンとなる。
前面扉２が閉じられると、前記光電センサ３８は光路が遮断されて出力がオフとなり、電気制御回路はこの光電センサ３８のオフ出力を受けて制御機構１２における電磁ソレノイド３４の駆動信号をオン状態に復帰させ、第２の解錠機構１１の作動を規制する。
【００２８】
なお上記実施例では、リモコンキー１５からの解錠指令信号を受けて、制御機構１２における電磁ソレノイド３４の駆動信号をオフ状態に設定して第２の解錠機構１１の作動規制を解除しているが、図９に示すように、解錠指令信号を受けた後、一定時間ｔ経過後に、光電センサ３８の出力をチェックするようにし、もし光電センサ３８の出力がオン、すなわち前面扉２が開放されていれば、電磁ソレノイド３４の駆動信号をオン状態のままとし、もし光電センサ３８の出力がオフ、すなわち前面扉２が閉成状態のままであれば、電磁ソレノイド３４の駆動信号をオフ状態にするようにしてもよい。この方法によれば、電磁ソレノイド３４のオンオフ回数が少なくて済む。
【００２９】
【発明の効果】
この発明は上記の如く、解錠信号の入力により作動して前記扉錠機構を解錠する電気駆動の第１の解錠機構と、鍵操作により作動して前記扉錠機構を解錠する機械駆動の第２の解錠機構と、通電により第２の解錠機構の作動を規制する状態に設定し、通電停止により第２の解錠機構の作動を規制する状態から作動規制を解除する状態へ移行させる制御機構とを設けたから、稼働中の通電時は、外部からの鍵操作によっては扉錠機構を解錠できない。従って鍵の盗難や紛失が発生しても、その鍵を取得した者によって稼働中に前面扉が開放されて不正行為が行われることがない。
また電気系統の故障や停電が発生しても、通電停止により制御機構が第２の解錠機構の作動規制を解除するから、外部からの鍵操作により扉錠機構を解錠できる。
【００３０】
請求項２および３の発明では、前記制御機構は、解錠信号の入力に応答して第２の解錠機構の作動規制を解除し、前面扉の開放後の閉成により第２の解錠機構の作動を規制するから、たとえ第１の解錠機構が故障して作動しなくても、外部からの鍵操作により扉錠機構を解錠できる。
請求項３の発明では、前記制御機構は、解錠信号の入力に応答して前面扉が閉成状態にあることを条件に前記第２の解錠機構の作動規制を解除するから、制御機構の動作回数が少なくて済み、寿命に悪影響を及ぼさないという効果もある。
【図面の簡単な説明】
【図１】この発明の一実施例であるスロットマシンの機械本体と前面扉とを分解して示す側面図である。
【図２】この発明の主要構成の概略を示す説明図である。
【図３】扉錠機構の可動機構部および固定機構部の具体例を示す側面図である。
【図４】図３の可動機構部の正面図である。
【図５】図３の可動機構部の側面図である。
【図６】第２の解錠機構および制御機構を示す平面図である。
【図７】第２の解錠機構および制御機構を示す側面図である。
【図８】構成各部の動作を示すタイムチャートである。
【図９】構成各部の動作を示すタイムチャートである。
【符号の説明】
１    機械本体
２    前面扉
５    扉錠機構
１０  第１の解錠機構
１１  第２の解錠機構
１２  制御機構
【図１】
0003756962.tif 000002
【図２】
0003756962.tif 000003
【図３】
0003756962.tif 000004
【図４】
0003756962.tif 000005
【図５】
0003756962.tif 000006
【図６】
0003756962.tif 000007
【図７】
0003756962.tif 000008
【図８】
0003756962.tif 000009
【図９】
0003756962.tif 000010